(57)【特許請求の範囲】
【請求項１】
ハウジング内に、流体の流れを可能にする開位置と流体の流れを阻止する閉位置の間で可動であって、前記閉位置の方に付勢された軸部を有する流体制御用のバランスしているバルブと、前記ハウジング内にある操作部材であって、その第１端と第２端との間に位置する前記軸部に対して第１方向及び第１方向に対向する第２方向に傾動可能な操作部材と、計器を通過する流体を計量する手段と、第１位置と第２位置の２つの位置の間で可動なキャッチ部材と、前記流体を計量する手段に応答して、設定された量の流体が計量された時、前記キャッチ部材を第１位置から第２位置へ動かす手段と、前記キャッチ部材を第１位置から第２位置へ手動で動かす手段とを有し、前記操作部材に、前記キャッチ部材が前記第１位置にあるときに係合し、前記キャッチ部材が前記第２位置にあるときには係合しない、前記キャッチ部材との係合部を設けてなり、前記操作部材が前記キャッチ部材と係合する第１供給位置と前記キャッチ部材に係合しない第２供給位置との間で移動可能であり、前記操作部材は第１方向に傾動することで第１供給位置に移動し、第２方向に傾動することで第２供給位置に移動し、前記操作部材が第１供給位置又は第２供給位置にある時に流体はハウジング内を流れることが可能である流体計量計器。
【請求項２】
前記キャッチ部材が前記第１位置側に付勢されている請求項１に記載の流体計量計器。
【発明の詳細な説明】
【０００１】
【発明の属する技術分野】
本発明は流体の使用量を計量する計器に関するものである。
【０００２】
【従来の技術】
潤滑油などの業界においては、いろんな理由からあらかじめ設定された量の流体を計量できるようにしたプリセット式の計器が望まれている。この種の計器によれば、流体の用途に対して正確な量の流体の計量を保証すること、例えば、自動車のエンジンオイルの場合、正確に４リットルのオイルが計量されるようにすることが望ましい。次に、この種のプリセット式計器によれば、流体が計量されている間に計器の操作者が他の仕事に係わることができ、能率を上げることができる。
【０００３】
【発明が解決しようとする課題】
この種の計器そのものは一般に知られており、多年にわたり使用されてきたが、流体の容器内の流体量を計量検出し、供給を停止する方式の全く機械的なものであった。最近になって電子式の計器が時流を得てきたが、かかる計器については、計量や動作が正確であることはもとより、電池寿命を長くするとともに、保守を頻繁にする必要をなくすことが望ましい。
【０００４】
【発明の目的】
簡単な構成により使用者の選択によって流体を供給している間操作部材を操作したままで使用する全手動操作と、供給の開始時と終了時にのみ操作部材を操作する掛止め手動操作と、さらに供給の開始時にのみ操作部材を操作するプリセット自動操作の３使用態様で使用することができ、操作簡便で計量が正確な流体流量計器を得る事を目的とする。
【０００５】
【課題を解決するための手段】
本発明によれば、流体流量計器において、これを全手動操作と掛止め手動操作で選択的に使用するため、請求項１に記載の通り、ハウジング内に、流体の流れを可能にする開位置と流体の流れを阻止する閉位置の間で可動であって、前記閉位置の方に付勢された軸部を有する流体制御用のバルブと、前記ハウジング内にあって前記軸部に対して回動可能な操作部材と、第１位置と第２位置の間で可動なキャッチ部材とを有し、前記操作部材に、前記キャッチ部材が前記第１位置にあるときは係合し、前記キャッチ部材が前記第２位置にあるときには係合しない、前記キャッチ部材との係合部を設ける。
【０００６】
さらに、かかる流体流量計器において、流体の供給量をプリセットし、流体の供給を全く自動的にするため、請求項２に記載のとおり、計器を通過する流体を計量する手段と、この流体を計量する手段に応答して、設定された量の流体が計量された時、前記キャッチ部材を第１位置から第２位置へ動かす手段を設ける。
【０００７】
請求項３に記載された発明によれば、前記操作部材の操作に従って流体の供給を瞬時に止めることを可能とするため、前記操作部材を前記キャッチ部材との係合位置及び係合しない位置に保持するため、前記キャッチ部材が前記第１位置側に付勢される。
【０００８】
請求項４に記載の発明によれば、プリセットされた流体の流量が供給された時前記流体の流量を計量する手段に応答して自動的に流体の供給を止めるため、前記操作部材は前記キャッチ部材と係合する掛止め位置と前記キャッチ部材と係合しない手動操作位置の間に可動である。
【０００９】
さらに、本発明の具体的な実施態様においては、前記の異なった態様における使用を可能にするため、使用量の設定が可能なキーボードを有し、プリセットされた量の流体が供給されたときに出力を生じる計器を設ける。この出力がソレノイドに伝えられた時には、前記操作部材を係止していた前記キャッチ部材が係止解除され、操作部材に支承された軸を介してバルブが閉止される。通常の状態にあってはこのソレノイドは通電されておらず、また動作時の通電時間も極めて短時間でよいので電池の寿命を長く保つことができる。また、ソレノイドの動作は迅速であるため、流体の量を正確に供給できる。
【００１０】
【実施の形態】
次に本発明の実施例を図面に従って説明する。
図１において、本発明によるプリセット式流体計量計器の一例の全体を番号１０により示す。この計器１０は下半体１２Ａおよび上半体１２Ｂよりなるハウジング１２を有している。このハウジング１２内には、流量計１４が設けられ、その流体流入口にバルブ１６が設けられている。このバルブ１６は殆どバランスしているが、閉位置に向けて僅かに付勢されており、バルブ軸１８によって操作される。また、このバルブ軸１８は、ハウジング１２の下半体１２Ａに乗っている操作部材２０によって操作される。
【００１１】
図２において、ソレノイド２２は、キャッチ部材２４のレバ−ア−ム２４Ｂを受けるプランジャ２２Ａを有する。キャッチ部材２４はハウジング１２に対して軸２４Ａの回りに回動可能であり、プランジャ２２Ａによりレバーアーム２２Ｂを介して動かされる。また、キャッチ部材２４の係止係合部２４Ｃは、操作部材２０の係合部２０Ａと係合できる。さらに、操作部材２０は、掛止め動作部２０Ｂと自由動作部２０Ｃを有する。操作部材２０の両端の中間に位置する凹所２０Ｄは、本実施例においては、操作部材２０がバルブ軸１８に関してほぼ５度回動するように設けられており、そのため後述する２様の手動動作と自動動作が可能となる。
【００１２】
本発明による計器を手動計量計器として使用する場合、図２において、使用者は操作部材２０をその自由動作部２０Ｃにおいて上方に引く。それにより、操作部材２０をその最も反時計方向の位置に保持し、操作部材２０の係合部２０Ａ、すなわち一方の端部をキャッチ部材２４の係止係合部２４Ｃから逃げた位置に保持する。この場合、使用者は望みの量の流体が通過するまで操作部材２０を上方に引いているだけでよく、操作部材２０を離せば、ばねで付勢されたバルブ１６が閉じ、流体の供給がとまる。
【００１３】
本発明による計器を手動掛止め状態で使用するには、操作部材２０をその掛止め動作部２０Ｂにおいて上に引く。それにより操作部材２０は図３に示す位置に回動し、掛止め端部２０Ａは係止係合部２４Ｃに係合する。望みの量の流体が供給されたときは、操作部材２０を外すためにその自由動作部２０Ｃを上方へ引けばよい。
【００１４】
所定の量の流体を自動的に供給する場合には、まずキーボード２６により所定量を設定し、操作部材２０をその掛止め動作部２０Ｃにおいて引き、手動掛止め状態と同様に係止係合部２４Ｃにより掛止めする。
所定の量の流体が供給されると、流量計１４の出力によってソレノイド２２が作動し、プランジャ２２Ａがキャッチ部材２４の受動アーム２４Ｂを図４に示す位置に押す。それによって軸２４Ａが回動して係止係合部２４Ｃが操作部材２０から外れ、バルブ１６が閉止し、流体の供給が止まる。
ソレノイド２２は例えば１６０マイクロ秒程度の極めて短時間、いずれにしても１秒以下の短時間通電されるだけでよい。
【００１５】
以上説明した通り、本発明による流体計量計器は、特許請求の範囲により限定された本発明の精神及び範囲から逸脱することなく、様々な変形をなすことができる。
【図面の簡単な説明】
【図１】本発明の実施の形態による流体流量計器の分解斜視図である。
【図２】操作部材が掛止めされていないバルブ閉止状態における流体流量計器の断面図である。
【図３】操作部材が掛止めされ、バルブが開いて流体が流れ得る状態における流体流量計器の断面図である。
【図４】操作部材が係止部材による掛止をはずされようとする状態を示す流体流量計器の断面図である。
【符号の説明】
１０    流体流量計器
１２    ハウジング
１２Ａ  ハウジングの上半体
１２Ｂ  ハウジングの下半体
１４    流量計
１６    バルブ
１８    バルブ軸
２０    操作部材
２０Ａ  係合部
２０Ｂ  掛止め動作部
２０Ｃ  自由動作部
２０Ｄ  凹所
２２    ソレノイド
２２Ａ  プランジャ
２２Ｂ  レバーアーム
２４    キャッチ部材
２４Ａ  軸
２４Ｂ  受動アーム
２４Ｃ  係止係合部
２６    キーボード
【図１】
0004464470.tif 000002
【図２】
0004464470.tif 000003
【図３】
0004464470.tif 000004
【図４】
0004464470.tif 000005